(57)【要約】【課題】本発明は、電熱線の内部に複数個のセラミック体を収納することで、熱風と一緒に陰イオンを発生し得る、陰イオンを発生する電熱線システムを提供しようとする。【解決手段】コイル状に形成された公知の電熱線を利用して、陰イオンを発生するトルマリンにより形成された球形のセラミック体１０を前記電熱線Ｈの空間部１に収納し、このとき、前記電熱線Ｈの長さ２０ｍｍに対して２〜１０個の前記セラミック体１０を収納して、陰イオンを発生する電熱線システムを構成する。【選択図】　図１
2004012122.tif 000002
【特許請求の範囲】
【請求項１】
コイル状に形成された公知の電熱線であって、
陰イオンを発生するトルマリンにより形成された球形のセラミック体を前記電熱線の空間部に収納し、このとき、前記電熱線の長さ２０ｍｍに対して２〜１０個の前記セラミック体を収納することを特徴とする、陰イオンを発生する電熱線システム。
【請求項２】
前記セラミック体の形状を横長の環棒状に形成することを特徴とする、請求項１記載の陰イオンを発生する電熱線システム。
【発明の詳細な説明】
【０００１】
【発明の属する技術分野】
本発明は、ヘアードライヤーや暖房機器などに装着されて熱気を放出する電熱線に係るもので、詳しくは、電熱線の内部に複数個のセラミック体を収納することで、熱風と一緒に陰イオンを発生し得る、陰イオンを発生する電熱線システムに関するものである。
【０００２】
【従来の技術】
一般のヘアードライヤーや暖房機器などの電気用品にはコイル状の電熱線が装着され、該電熱線を通電させると、電気抵抗によって発生された熱が送風システムにより外部に放出されることで熱気を提供し得るようになっている。
【０００３】
即ち、上述した従来の各種電気用品は、熱気を提供するために使用されるものであるが、そのような熱気が体の毛髪や皮膚などに損傷を与えるという問題点があった。
【０００４】
最近では、陰イオンが毛髪や皮膚の損傷を防止するだけでなく、身体活性化を促進させるという数多くの研究結果が発表されており、各種電子製品が陰イオンを発生するシステムを採択している実情である。
【０００５】
そのような陰イオンを発生させるための電気製品として、ヘアードライヤーの場合、電熱線が設置される部位、または、熱風が送出される部位などのように熱気が接触する部位の表面に陰イオンを発生させるコーティング層を形成して、電熱線から発生された熱気が内部の各種部品のコーディング層と接触しながら陰イオンを発生するように構成されていた。
【０００６】
一方、中央部位に電熱線が装着され、該電熱線の後方側にレフレクターが設置された暖房機器の場合は、陰イオンを発生させるためにレフレクターの表面に陰イオンを発生する材料をコーティングしたものがある。
【０００７】
【発明が解決しようとする課題】
然るに、このような従来の陰イオンを発生するヘアードライヤー及び暖房機器においては、コーティング層が薄いため、陰イオンの発生量が豊富でなく、特に、電熱線と比較的遠距離に位置するため、高温の熱気がコーティング層に直接接触することができず、その結果、陰イオンの放出が円滑にならないという不都合な点があった。
【０００８】
また、従来の陰イオンを発生するヘアードライヤーや暖房機器においては、コーティング層を形成するために、コーティングしようとする部位の表面にコーティング液を塗布した後、高温で長時間乾燥させるべきであるので、作業工程が複雑で作業時間が長くなるという不都合な点があった。
【０００９】
本発明は、このような従来の課題に鑑みてなされたもので、電熱線の内部にセラミック体を収納することで、発熱体の電熱線と近接する部位に位置するセラミック体からの陰イオン発生量を増大し得る、陰イオンを発生する電熱線システムを提供することを目的とする。
【００１０】
且つ、セラミック体を小型の電熱線の内部に収納することで、簡単な工程により陰イオンを発生する電熱線システムを製造することを目的とする。
【００１１】
【課題を解決するための手段】
本発明は、コイル状に形成された公知の電熱線を利用するものであって、トルマリンを球形に成形して形成されたセラミック体を、前記電熱線内部の空間部に複数個収納して構成されている。
【００１２】
ここで、前記セラミック体の主成分であるトルマリンは、熱や圧力を加えると電気が発生されるので電気石とも称し、硬度７〜７．５、比重３〜５の六方晶系鉱石の一種である。
【００１３】
公知されたトルマリンの成分は次の表１と同様である。
【００１４】
【表１】
2004012122.tif 000003
【００１５】
前記トルマリンは次のような特性がある。
【００１６】
第一に、常に電気性があるものであって、０．３μに粉砕しても結晶の両方端がそれぞれプラスとマイナスの極性を有しており、原石のプラス極とマイナス極とを誘導線により連結すると、０．０６ｍＡの電流が測定される。
【００１７】
第二に、遠赤外線を放射する。
【００１８】
第三に、空気を陰イオン化する機能をする。
【００１９】
本発明は、トルマリンが電気性を有する特性を利用したものであって、特に、温度が１０℃高くなると陰イオンの発生が活性化され、また、トルマリン原石を小さな粒子に粉砕すると、電気発生量が増大される特性を利用したものである。
【００２０】
即ち、ヘアードライヤーや暖房機などにおいて、熱発生の根源となる電熱線の内部にトルマリンにより形成されたセラミック体を収納させ、高温の熱気によって陰イオンの発生量を増大させる。
【００２１】
また、前記セラミック体を、小さな粒子の粉末状態から球形に成形して製造したものなどのように、トルマリンの原材料を小さな粒子に構成することで陰イオンの発生量を増大させる。
【００２２】
【発明の実施の形態】
以下、本発明の実施の形態に対し、図面を用いて説明する。
【００２３】
本発明に係る陰イオンを発生する電熱線システムにおいては、図１及び図２に示したように、基板Ｔの外周に電熱線Ｈを螺旋状に巻回し、該電熱線Ｈの引入部及び引出部にそれぞれ電線Ｌ１、Ｌ２を連結する。ここで、前記電熱線Ｈは、細い鉄線形態の発熱線２がコイル状に形成され、内部に空間部１が形成されるように構成されている。
【００２４】
また、図２に示したように、陰イオンを放出するセラミック体の粉末を球形に成形した後、高温下で熱処理して製造した球形のセラミック体１０を前記電熱線Ｈの空間部１に複数個収納する。
【００２５】
このとき、前記セラミック体１０の外径は、前記空間部１の内径と同様であるか、または、小さくなるように構成する。また、前記空間部１に収納される前記セラミック体１０の個数は、前記電熱線Ｈの長さ２０ｍｍに対して２〜１０個が好ましく、２個未満であると遠赤外線の発生量が不充分で、１０個以上であると前記空間部１に前記セラミック体１０を収納するための作業時間が長く掛かるだけでなく、該セラミック体１０の外径が小さくなる。
【００２６】
このように構成された本発明に係る陰イオンを発生する電熱線システムは、図１に示したように、コイル状に形成された電熱線Ｈの中央部に形成された空間部１にセラミック体１０を入れて収納した後、再び前記電熱線Ｈを基板Ｔに巻回しながら設置するようになっている。
【００２７】
上述したように前記空間部１に前記セラミック体１０が収納された状態では、前記発熱線２の間隔よりも前記セラミック体１０の外径が大きいので、前記各発熱線２間の隙間に前記セラミック体１０が任意に流出されることが防止されて前記空間部１内に位置され、また、前記セラミック体１０が前記空間部１内で流動することは前記電熱線Ｈの折曲部位により防止されるので、折曲された間隔内に所定個数の前記セラミック体１０を維持し得るようになる。
【００２８】
そして、図１に示したような電熱線Ｈが設置されたシステムを、例えば、ヘアードライヤーの内部に装着した後、ヘアードライヤーに電源を接続すると、電熱線Ｈの発熱が開始されて、該電熱線Ｈと最も近接した位置に収納されたセラミック体１０に直接的に熱気が伝達されて内部組織の活性化が行われるため陰イオンが放出され、送風機から発生する空気圧により熱気と共に陰イオンが外部に放出される。使用者は、外部に放出される熱風によって髪の毛を乾燥させ、この時、一緒に放出される陰イオンによって毛髪及び頭皮が損傷されることが防止されるだけでなく、身体の活性化を促進させるようになる。
【００２９】
一方、本発明に係る陰イオンを発生する電熱線システムの他の実施形態として、図３に示したように、セラミック体１０ａを所定長さを有する環棒に形成することも可能で、この場合、前記セラミック体１０ａを空間部１に収納する製造過程が一層容易になるメリットがある。
【００３０】
【発明の効果】
以上説明したように、本発明に係る陰イオンを発生する電熱線システムにおいては、電熱線の空間部にセラミック体を収納することで容易に製造することができるという効果がある。
【００３１】
また、前記セラミック体は、発熱する電熱線の調整された部位に位置されるため、高熱により陰イオンを多量放出することができるという効果がある。
【００３２】
本発明は、ヘアードライヤーや暖房機器だけでなく、家庭用または産業用電熱製品など電熱線が装着される全ての分野に適用して容易に実用化し得る有益な発明である。
【図面の簡単な説明】
【図１】本発明に係る陰イオンを発生する電熱線システムの使用例示を示した斜視図である。
【図２】本発明に係る陰イオンを発生する電熱線システムの実施形態を示した側面図である。
【図３】本発明に係る陰イオンを発生する電熱線システムの他の実施形態を示した側面図である。
【符号の説明】
Ｈ：電熱線
１０、１０ａ：セラミック体
１：空間部
【図１】
2004012122.tif 000004
【図２】
2004012122.tif 000005
【図３】
2004012122.tif 000006